(57)【特許請求の範囲】
【請求項１】
予め定めた状態の検出を行う浸漬形検出器に備えられたセンサを洗浄するセンサ洗浄装置において、センサを先端に取り付けたホルダと、パイプの先端に薬液ジェットノズルを有して薬液ジェットノズルよりセンサに洗浄用の薬液をジェット噴射する薬液ジェット洗浄装置と、パイプの先端にリング状のエアジェットノズルを有してエアジェットノズルよりエアを噴射するエアジェット洗浄装置とを備えており、薬液ジェット洗浄装置のパイプとエアジェット洗浄装置のパイプとがホルダに固定されたクランプによってそれぞれ個別に支持され、エアジェットノズルが、ホルダの先端にエアを噴射するために薬液ジェットノズルとセンサとの間に設けられ、薬液ジェットノズルが、センサに薬液を噴射するためにエアジェットノズルのリングの孔を経由してセンサと対向する位置に設けられたことを特徴とするセンサ洗浄装置。
【発明の詳細な説明】
【０００１】
【発明の属する技術分野】
この発明は例えば流体の温度等を検出する浸漬形検出器のセンサの洗浄を自動的に行うセンサ洗浄装置に関するものである。
【０００２】
【従来の技術】
図１４は従来のブラシ洗浄装置の構成を示す図であり、図１５は図１４に示す矢符Ｅから見たブラシ洗浄装置の構成を示す図である。図１４，図１５において、３はパイプ状のホルダであり、このホルダ３にはセンサ２が取り付けられている。ロッド４はホルダ３内部を貫通し、一端にはブラシ駆動部５が連結され、他端には洗浄用ブラシ１が接合されている。制御部６はロッド４を介して洗浄用ブラシ１を駆動するブラシ駆動部５への電源供給および洗浄用ブラシ１の間欠洗浄の時間を調節するものである。
【０００３】
次に動作について説明する。洗浄用ブラシ１とセンサ２は、被測定水中に浸漬されている。洗浄用ブラシ１は図１５に示すように左右に回転することによりセンサ２の表面をこする。それによってセンサ２の表面に付着した汚れを払拭する。洗浄用ブラシ１はホルダ３を貫通するロッド４を介してホルダ３上部に取り付けられたブラシ駆動部５によって駆動される。ブラシ駆動部５は制御部６より駆動用電源の供給を受ける。また、制御部６はブラシ駆動部５の動作をある一定の時間間隔で行う間欠動作とするためのタイマー機能も持つ。
【０００４】
【発明が解決しようとする課題】
従来のブラシ洗浄装置は以上のように構成されており、洗浄用ブラシによる洗浄のみなので、洗浄効果が低い等の課題があった。
【０００５】
この発明は上記のような課題を解決するためになされたものであり、洗浄効果の高いセンサ洗浄装置を得ることを目的とする。
【０００６】
【発明が解決しようとする課題】
本発明に係るセンサ洗浄装置は、予め定めた状態の検出を行う浸漬形検出器に備えられたセンサを洗浄するセンサ洗浄装置において、センサを先端に取り付けたホルダと、パイプの先端に薬液ジェットノズルを有して薬液ジェットノズルよりセンサに洗浄用の薬液をジェット噴射する薬液ジェット洗浄装置と、パイプの先端にリング状のエアジェットノズルを有してエアジェットノズルよりエアを噴射するエアジェット洗浄装置とを備えており、薬液ジェット洗浄装置のパイプとエアジェット洗浄装置のパイプとがホルダに固定されたクランプによってそれぞれ個別に支持され、エアジェットノズルが、ホルダの先端にエアを噴射するために薬液ジェットノズルとセンサとの間に設けられ、薬液ジェットノズルが、センサに薬液を噴射するためにエアジェットノズルのリングの孔を経由してセンサと対向する位置に設けられたことを特徴とするものである。
【０００７】
【発明の実施の形態】
発明の実施の形態１．
以下、この発明の実施の形態１を図に基づいて説明する。図１はこの発明のセンサ洗浄装置の実施の形態１を示す構成図であり、図２は図１中の矢符Ａから見たセンサ洗浄装置の構成図である。図１，図２において、７はホルダ３の先端に回転自在に設けられたフィン付回転ドラムであり、１はフィン付回転ドラム７に取り付けられセンサ２に対して摺動可能な洗浄用ブラシである。７ａはフィン付回転ドラム７のフィンである。センサ２はホルダ３の先端に取り付けられている。８はフィン付回転ドラム７の回転をスムーズにするためのベアリングである。
【０００８】
次に図１および図２を参照して発明の実施の形態１の動作について説明する。エアレーションタンクなどの水流のある被測定水中にホルダ３を浸漬すると、被測定水の水流をフィン付回転ドラム７のフィン７ａが受けフィン付回転ドラム７が回転する。フィン付回転ドラム７の底部中央に設けられた洗浄用ブラシ１はフィン付回転ドラム７と共に回転するので、接触しているセンサ２の表面を払拭し洗浄する。なお、フィン付回転ドラム７の回転方向はどちらでもよく、したがって水流の方向やホルダ３の浸漬方向等の制限がない。
【０００９】
このように実施の形態１によれば、洗浄用ブラシ１の動力に被測定水の水流を利用するため、従来のようなセンサ洗浄装置用の電源が不用になるという効果がある。また、従来に比較し機械的な作動部分が少なく部品点数も少なくできることから故障の可能性も少なく、信頼性が向上し、メンテナンスも容易になる他、コストダウンも可能になるという効果がある。
【００１０】
実施の形態２．
図３はこの発明のセンサ洗浄装置の実施の形態２を示す構成図であり、図４は図３中の矢符Ｂから見たセンサ洗浄装置の構成図である。図３および図４において、図１および図２に示す構成要素に対応するものには同一の符号を付し、その説明を省略する。本実施の形態２では、図３および図４に示すようにフィン付回転ドラム７のフィン７ａを大型化している。その他は実施の形態１と同じであるので、説明は省略する。
【００１１】
このように実施の形態２によれば、実施の形態１と同様、洗浄用ブラシ１の動力に被測定水の水流を利用するため、従来のようなセンサ洗浄装置用の電源が不用になるという効果がある。また、従来に比較し、機械的な作動部分が少なく部品点数も少なくできることから、故障の可能性も少なく、信頼性が向上し、メンテナンスも容易になる他、コストダウンも可能になるという効果がある。特に、本実施の形態２ではフィン付回転ドラム７のフィン７ａを大型化したので、水流の弱いところでも確実にフィン付回転ドラム７を回転させることができ、センサ２の洗浄を行えるという効果がある。
【００１２】
実施の形態３．
図５はこの発明のセンサ洗浄装置の実施の形態３を示す構成図であり、図６は図５中の矢符Ｃから見たセンサ洗浄装置の構成図であり、図５および図６において、図１および図２に示す構成要素に対応するものには同一の符号を付し、その説明を省略する。本実施の形態３では、図５および図６に示すようにフィン付回転ドラム７のフィン７ａの形状を半円形としている。その他は実施の形態１と同じであるので、説明は省略する。
【００１３】
このように実施の形態３によれば、実施の形態１と同様、洗浄用ブラシ１の動力に被測定水の水流を利用するため、従来のようなセンサ洗浄装置用の電源が不用になるという効果がある。また、従来に比較し、機械的な作動部分が少なく部品点数も少なくできることから、故障の可能性も少なく、信頼性が向上し、メンテナンスも容易になる他、コストダウンも可能になるという効果がある。特に、本実施の形態３ではフィン付回転ドラム７のフィン７ａの形状を半円形としたので、ごみ等が浮遊するような水中でも、ごみ等がフィン７ａにからまりにくくなり、これによりフィン付回転ドラム７の動きを妨げにくくなって、センサ２の洗浄を安定して行うことができるという効果がある。
【００１４】
実施の形態４．
図７はこの発明のセンサ洗浄装置の実施の形態４を示す構成図である。本実施の形態４では、前述した実施の形態１又は２又は３で示したセンサ洗浄装置を水ジェット洗浄装置と組み合わせて構成している。図７において、１０はセンサ洗浄装置のホルダ３と水ジェット洗浄装置のパイプ９ａとを結合するためのクランプである。パイプ９ａの先端に設けられた水ジェットノズル９は水ジェット噴射するためのものである。
【００１５】
このように実施の形態４によれば、実施の形態１又は２又は３で示したセンサ洗浄装置を水ジェット洗浄装置と組み合わせて構成することにより、水ジェット洗浄装置の水ジェットノズル９からの水流も加わった水流でフィン付回転ドラム７を回転させることができ、したがってホルダ３を浸漬する被測定水の水流が弱くても、センサのブラシ洗浄が可能になるという効果がある。また、従来の水ジェット＋ブラシでの洗浄では水ジェット洗浄用だけでなくブラシ洗浄用にも電源が必要であったが、この実施の形態４によればブラシ洗浄用の電源は不用となる。更に、ブラシ洗浄に水ジェット洗浄を同時に行うので洗浄効果も高くなることが期待できるという効果がある。
【００１６】
実施の形態５．
図８はこの発明のセンサ洗浄装置の実施例の形態５を示す構成図であり、図９は図８中の矢符Ｄから見たセンサ洗浄装置の構成図である。図８および図９において、図１および図２に示す構成要素に対応するものは同一の符号を付し、その説明を省略する。図８および図９において、１１はホルダ３の下端に設けられたラック形状のラック、１２はフィン付回転ドラム７に取り付けられた回転洗浄用ブラシ１３の軸１３ａの両端に設けられたピニオンである。ラック１１とピニオン１２とをかみ合わせることにより、被測定水の水流によりフィン付回転ドラム７が回転すると、ラック・ピニオンにより回転洗浄用ブラシ１３も軸１３ａを中心に回転する。これによりセンサ２は洗浄される。
【００１７】
このように実施の形態５によれば、フィン付回転ドラム７の回転により回転洗浄用ブラシ１３はフィン付回転ドラム７と同方向に回転するとともに、ラック・ピニオンにより回転洗浄用ブラシ１３の軸１３ａをも回転するので、センサ２の洗浄効果は実施の形態１，２，３に比べ高くなるという効果がある。
【００１８】
実施の形態６．
図１０はこの発明のセンサ洗浄装置の実施の形態６を示す構成図である。本実施の形態６では、実施の形態５で示したセンサ洗浄装置を水ジェット洗浄装置と組み合わせて構成している。図１０において、１０はセンサ洗浄装置のホルダ３と水ジェット洗浄装置のパイプ９ａとを結合するためのクランプである。パイプ９ａの先端に設けられた水ジェットノズル９は水ジェット噴射するためのものである。
【００１９】
このように実施の形態６によれば、実施の形態５のセンサ洗浄装置を水ジェット洗浄装置と組み合わせることにより、水ジェットノズル９からの水流も加えた水流によりフィン付回転ドラム７を回転させ、同時に回転洗浄用ブラシ１３も回転させるので、実施の形態４の構成で得られる効果に加えて、より高い洗浄効果を得ることが可能であるという効果がある。
【００２０】
実施の形態７．
図１１はこの発明のセンサ洗浄装置の実施の形態７を示す構成図であり、図１２は図１１中の薬液ジェットノズル１４とエアジェットノズル１５の斜視図である。図１３は図１１又は図１２中の薬液ジェットノズル１４とエアジェットノズル１５の上面図である。図１１，図１２，図１３において、本実施の形態７は従来の薬液ジェット洗浄装置にエアジェット洗浄装置を組み合わせたものであり、ホルダ３に固定されたクランプ１０によって支持される。即ち、薬液ジェット洗浄装置のパイプ１４ａとエアジェット洗浄装置のパイプ１５ａとがクランプ１０によって支持される。本センサ洗浄装置は、パイプ１４ａの先端に設けられた薬液ジェットノズル１４とパイプ１５ａの先端に設けられたリング状のエアジェットノズル１５を備えている。薬液ジェットノズル１４より洗浄用の薬液を噴射しセンサ２を洗浄する際にリング状のエアジェットノズル１５よりエアを噴射し、センサ下部の被測定水を排除し遮断する。
【００２１】
このように実施の形態７によれば、噴射した洗浄用の薬液と被測定水が混ざることがなく、薬液のみをセンサ２に当てることができるので、洗浄効果を高くすることが可能となる。これにより洗浄用薬液の濃度や使用量（噴射量）を低くすることができ、したがってコストダウンおよび安全性の向上を図れるという効果がある。更に、ホルダ下部外周に付着した汚れもリング状のエアジェットが当たるため除去可能になるという効果がある。
【図面の簡単な説明】
【図１】  この発明のセンサ洗浄装置の実施の形態１を示す構成図である。
【図２】  図１中の矢符Ａから見たセンサ洗浄装置の構成図である。
【図３】  この発明のセンサ洗浄装置の実施の形態２を示す構成図である。
【図４】  図３中の矢符Ｂから見たセンサ洗浄装置の構成図である。
【図５】  この発明のセンサ洗浄装置の実施の形態３を示す構成図である。
【図６】  図６中の矢符Ｃから見たセンサ洗浄装置の構成図である。
【図７】  この発明のセンサ洗浄装置の実施の形態４を示す構成図である。
【図８】  この発明のセンサ洗浄装置の実施の形態５を示す構成図である。
【図９】  図８中の矢符Ｄから見たセンサ洗浄装置の構成図である。
【図１０】  この発明のセンサ洗浄装置の実施の形態６を示す構成図である。
【図１１】  この発明のセンサ洗浄装置の実施の形態７を示す構成図である。
【図１２】  図１１中の薬液ジェットノズルとエアジェットノズルの斜視図である。
【図１３】  図１１又は図１２中の薬液ジェットノズルとエアジェットノズルの上面図である。
【図１４】  従来のセンサ洗浄装置の構成図である。
【図１５】  図１４中の矢符Ｅから見たセンサ洗浄装置の構成図である。
【符号の説明】
２  センサ、１４  薬液ジェットノズル、１５  エアジェットノズル。
【図１】
0003836419.tif 000002
【図２】
0003836419.tif 000003
【図３】
0003836419.tif 000004
【図４】
0003836419.tif 000005
【図５】
0003836419.tif 000006
【図６】
0003836419.tif 000007
【図７】
0003836419.tif 000008
【図８】
0003836419.tif 000009
【図９】
0003836419.tif 000010
【図１０】
0003836419.tif 000011
【図１１】
0003836419.tif 000012
【図１２】
0003836419.tif 000013
【図１３】
0003836419.tif 000014
【図１４】
0003836419.tif 000015
【図１５】
0003836419.tif 000016